(57)【要約】【課題】レンズユニットに対応する光学補正情報を迅速に取得することを目的とする。【解決手段】撮像装置の無線通信手段はレンズユニットが装着される前に外部装置との通信を開始し、検出手段により前記レンズユニットの装着が検出されたときに、前記無線通信手段が前記外部装置と通信できる場合、前記無線通信手段は、前記レンズユニットの識別情報に基づいて前記外部装置から光学補正情報を受信し、前記検出手段により前記レンズユニットの装着が検出されたときに、前記無線通信手段が前記外部装置と通信できない場合、有線通信手段は、前記レンズユニットから光学補正情報を受信する。【選択図】図２
2018064236.tif 000002
【特許請求の範囲】
【請求項１】
識別情報および光学補正情報を保持するレンズユニットを着脱可能な撮像装置であって、
前記レンズユニットの着脱を検出する検出手段と、
前記レンズユニットとの間で有線通信する有線通信手段と、
外部装置との間で無線通信する無線通信手段と、を有し、
前記無線通信手段は、レンズユニットが装着される前に前記外部装置との通信を開始し、
前記検出手段により前記レンズユニットの装着が検出されたときに、前記無線通信手段が前記外部装置と通信できる場合、
前記無線通信手段は、前記レンズユニットの識別情報に基づいて前記外部装置から光学補正情報を受信し、
前記検出手段により前記レンズユニットの装着が検出されたときに、前記無線通信手段が前記外部装置と通信できない場合、
前記有線通信手段は、前記レンズユニットから光学補正情報を受信することを特徴とする撮像装置。
【請求項２】
前記無線通信手段は、前記検出手段により交換前のレンズユニットの取外しが検出されることにより、前記外部装置との通信を開始することを特徴とする請求項１に記載の撮像装置。
【請求項３】
ユーザからの撮影指示を検知する検知手段を有し、
前記無線通信手段は、前記検知手段により撮影指示が検知されることにより、前記外部装置との通信を開始することを特徴とする請求項１または２に記載の撮像装置。
【請求項４】
前記レンズユニットとの間で近距離無線通信する近距離無線通信手段を有し、
前記無線通信手段は、前記近距離無線通信手段により前記レンズユニットと近距離無線通信することにより、前記外部装置との通信を開始することを特徴とする請求項１ないし３の何れか１項に記載の撮像装置。
【請求項５】
前記近距離無線通信手段は、近距離無線通信により前記レンズユニットに保持された識別情報を受信し、
前記無線通信手段は、前記近距離無線通信手段により受信した識別情報に基づいて前記外部装置から光学補正情報を受信することを特徴とする請求項４に記載の撮像装置。
【請求項６】
前記レンズユニットの識別情報に対応する光学補正情報を記憶する記憶手段を有し、
前記レンズユニットが装着されたときに前記有線通信手段により受信した前記レンズユニットの識別情報が前記記憶手段に記憶されている場合、
前記無線通信手段は、前記外部装置との通信を停止することを特徴とする請求項１ないし５の何れか１項に記載の撮像装置。
【請求項７】
前記記憶手段は、装着されたレンズユニットの識別情報と、該識別情報に対応する光学補正情報とを記憶することを特徴とする請求項６に記載の撮像装置。
【請求項８】
前記無線通信手段が前記外部装置と通信できる場合とは、前記外部装置との間で無線通信が確立されている場合であることを特徴とする請求項１ないし７の何れか１項に記載の撮像装置。
【請求項９】
識別情報および光学補正情報を保持するレンズユニットを着脱可能な撮像装置の制御方法であって、
無線通信手段により、前記レンズユニットが装着される前に外部装置との通信を開始する無線通信ステップと、
前記レンズユニットの装着が検出されたときに、前記無線通信手段により前記外部装置と通信できる場合、
前記無線通信手段により、前記レンズユニットの識別情報に基づいて前記外部装置から前記光学補正情報を受信するステップと、
前記レンズユニットの装着が検出されたときに、前記無線通信手段により前記外部装置と通信できない場合、
有線通信手段により、前記レンズユニットから光学補正情報を受信するステップと、を有することを特徴とする撮像装置の制御方法。
【請求項１０】
請求項９に記載のステップをコンピュータに実行させるためのプログラム。
【請求項１１】
請求項９に記載のステップをコンピュータに実行させるためのプログラムを記憶したコンピュータが読み取り可能な記録媒体。
【発明の詳細な説明】
【技術分野】
【０００１】
本発明は、レンズユニットを着脱可能な撮像装置、その制御方法、プログラムおよび記録媒体に関する。
【背景技術】
【０００２】
レンズユニットを着脱可能な撮像装置において、撮影した画像の光学補正はレンズ毎に特性が異なっているために、レンズユニットは固有の光学補正値を保持している。レンズ毎に異なる特性とは、主にレンズの枚数や大きさの構成によって生じる歪曲収差や、周辺光量の減光や、光の分散によって生じる色収差である。したがって、撮像装置はレンズユニットと通信してレンズユニットから光学補正値を取得し、撮影した画像を光学補正値に基づいて光学補正処理する。
【０００３】
撮像装置とレンズユニットとの通信は、電気的な接点数の制約からシリアル通信で行われることが一般的であった。しかし、レンズユニットから撮像装置に送信する情報が増えるにつれてシリアル通信では通信速度が遅く、情報を受信し終えるまでに時間を要してしまい、撮影タイミングを逃してしまう虞があった。
【０００４】
特許文献１には、本体部に装着された撮像部の識別データを無線通信手段を介して基地局に送信し、識別データに対応する補正データを受信する撮像システムが開示されている。
【先行技術文献】
【特許文献】
【０００５】
【特許文献１】特開２００５−１９２１６９号公報
【発明の概要】
【発明が解決しようとする課題】
【０００６】
しかしながら、特許文献１の撮像システムでは、ネットワークに接続できない場所あるいは接続し難い場所では迅速に補正データを受信することができず、撮影タイミングを逃すことを防止できない。
本発明は、上述したような問題点に鑑みてなされたものであって、レンズユニットに対応する光学補正情報を迅速に取得できるようにすることを目的とする。
【課題を解決するための手段】
【０００７】
本発明は、識別情報および光学補正情報を保持するレンズユニットを着脱可能な撮像装置であって、前記レンズユニットの着脱を検出する検出手段と、前記レンズユニットとの間で有線通信する有線通信手段と、外部装置との間で無線通信する無線通信手段と、を有し、前記無線通信手段は、レンズユニットが装着される前に前記外部装置との通信を開始し、前記検出手段により前記レンズユニットの装着が検出されたときに、前記無線通信手段が前記外部装置と通信できる場合、前記無線通信手段は、前記レンズユニットの識別情報に基づいて前記外部装置から光学補正情報を受信し、前記検出手段により前記レンズユニットの装着が検出されたときに、前記無線通信手段が前記外部装置と通信できない場合、前記有線通信手段は、前記レンズユニットから光学補正情報を受信することを特徴とする。
【発明の効果】
【０００８】
本発明によれば、レンズユニットに対応する光学補正情報を迅速に取得することができる。
【図面の簡単な説明】
【０００９】
【図１】第１の実施形態の撮像システムの構成を示す図である。
【図２】第１の実施形態の撮像装置の処理を示すフローチャートである。
【図３】第２の実施形態の撮像システムの構成を示す図である。
【図４】第２の実施形態の撮像装置の処理を示すフローチャートである。
【図５】第３の実施形態の撮像システムの構成を示す図である。
【図６】第３の実施形態の撮像装置の処理を示すフローチャートである。
【図７】第４の実施形態の撮像装置の処理を示すフローチャートである。
【発明を実施するための形態】
【００１０】
以下、本発明に係る実施形態について図面を参照して説明する。
（第１の実施形態）
図１は、第１の実施形態に係る撮像システム１０の構成例を示す図である。
撮像システム１０は、撮像装置１００と、レンズユニット２００と、外部装置３００とを有する。撮像装置１００は、例えばデジタルカメラを適用することができる。
【００１１】
まず、撮像装置１００の詳細な構成について説明する。
撮像装置１００は、着脱検出部１０１、制御部１０２、レンズ通信部１０３、無線通信部１０４、判定部１０５、格納部１０６、撮像部１０７、現像処理部１０８、画像保持部１０９等を有する。
【００１２】
着脱検出部１０１は検出手段の一例であって、撮像装置１００に対するレンズユニット２００の着脱を検出する。着脱検出部１０１はレンズユニット２００の着脱を検出した場合に着脱信号を判定部１０５に出力する。
制御部１０２はレンズユニット２００とのシリアル通信、および、外部装置３００との無線通信を制御する。具体的には、制御部１０２はレンズ通信部１０３および無線通信部１０４を制御する。
【００１３】
レンズ通信部１０３は有線通信手段の一例であって、レンズユニット２００との間でシリアル通信する。レンズ通信部１０３はレンズユニット２００から、レンズユニット２００の識別情報としてのレンズ固有の識別符号、および、識別符号に対応する光学補正情報（補正データ）を受信する。レンズ通信部１０３は識別符号の受信が完了すると、受信完了通知を判定部１０５に出力する。
無線通信部１０４は無線通信手段の一例であって、外部装置３００との間で無線通信する。無線通信部１０４は外部装置３００から光学補正情報を受信する前に、通信経路を確立するためにネゴシエーションを行う。無線通信部１０４はネゴシエーションが完了すると、ネゴシエーション完了通知を判定部１０５に出力する。
本実施形態では、レンズ通信部１０３による有線通信に比べて無線通信部１０４による無線通信の方が通信速度は速い。したがって、同じ容量の情報を受信する場合、撮像装置１００はレンズ通信部１０３を介して受信するよりも無線通信部１０４を介して受信するほうが迅速に情報を受信することができる。
【００１４】
判定部１０５は着脱信号と、識別符号の受信完了通知と、ネゴシエーション完了通知とを用いて、レンズ通信部１０３または無線通信部１０４の何れに対し通信回線の確立を行うかを判断したり、通信を行うか否かを判断したりする。
格納部１０６はレンズユニット２００に対応した情報を格納する。格納部１０６には例えば記憶媒体を用いることができる。格納部１０６に格納されるレンズユニット２００に対応した情報とは少なくとも、レンズ固有の識別符号、および、該識別符号に対応する光学補正情報である。
【００１５】
撮像部１０７はレンズユニット２００によって光線が結像された物体像を、撮像素子によって光電変換して画像情報として取得する。
現像処理部１０８は撮像部１０７からの画像情報と格納部１０６に格納されている光学補正情報を用いて画像情報を補正する現像処理を行い、現像画像を出力する。
画像保持部１０９は現像処理部１０８から出力された現像画像を保存する。
【００１６】
次に、レンズユニット２００の詳細な構成について説明する。
レンズユニット２００は、着脱信号出力部２０１、レンズ補正情報部２０２、通信部２０３、レンズ部２０４等を有する。
着脱信号出力部２０１はレンズユニット２００を撮像装置１００に装着した際に撮像装置１００に対して着脱信号を出力する。
【００１７】
レンズ補正情報部２０２はレンズ固有の情報を保持している。具体的には、レンズ補正情報部２０２は少なくとも、レンズ固有の識別符号、および、該識別符号に対応する光学補正情報を保持している。
通信部２０３はレンズ補正情報部２０２が保持する識別符号や光学補正情報をシリアル通信により撮像装置１００に送信する。
レンズ部２０４は物体からの光束が入射されて結像面に物体像を形成する光学系のレンズまたはレンズ群である。
【００１８】
次に、外部装置３００の詳細な構成について説明する。
外部装置３００は、外部補正情報部３０１、外部サーバ３０２、基地局３０３、通信ネットワーク３０４等を有する。
外部補正情報部３０１は撮像装置１００に送信する光学補正情報を保持する。外部補正情報部３０１は複数のレンズ固有の識別符号にそれぞれ対応した複数の光学補正情報を保持している。
外部サーバ３０２は撮像装置１００からの光学補正情報の受信要求に対して、外部補正情報部３０１からレンズ固有の識別符号に対応した光学補正情報を取得して出力する。
【００１９】
基地局３０３は撮像装置１００と外部装置３００を無線通信する。
通信ネットワーク３０４は外部サーバ３０２と基地局３０３との通信を行う。
なお、外部装置３００は撮像装置１００からの要求に対して無線通信を用いて光学補正情報を出力することが可能な最小限の構成で表わしており、他の構成が含まれていてもよい。
【００２０】
次に、本実施形態の撮像装置１００の処理について図２のフローチャートを参照して説明する。なお、図２のフローチャートは、撮像装置１００のＣＰＵがメモリに記憶されているプログラムを実行することにより実現される。図２のフローチャートは、撮像装置１００に電源が投入されている状態で開始される。
Ｓ２０１では、判定部１０５は着脱検出部１０１からレンズユニット２００が取外されたことを示す着脱信号を受信したか否かを判定する。例えば、ユーザがレンズユニット２００を交換するために交換前のレンズユニット２００を取外した場合、着脱検出部１０１はレンズユニット２００が取外されたことを検出し、レンズユニット２００が取外されことを示す着脱信号を判定部１０５に送信する。取外されたことを示す着脱信号を受信した場合にはＳ２０２に進み、受信していない場合にはＳ２０３に進む。
【００２１】
Ｓ２０２では、無線通信部１０４は無線通信を確立するために外部装置３００との間でネゴシエーションを開始する。
Ｓ２０３では、判定部１０５は着脱検出部１０１からレンズユニット２００が装着されたことを示す着脱信号を受信したか否かを判定する。例えば、ユーザがレンズユニット２００を装着した場合、レンズユニット２００の着脱信号出力部２０１が着脱信号を着脱検出部１０１に出力する。したがって、着脱検出部１０１はレンズユニット２００が装着されたことを検出し、レンズユニット２００が装着されたことを示す着脱信号を判定部１０５に送信する。装着されたことを示す着脱信号を受信した場合にはＳ２０４に進み、受信していない場合にはＳ２０１に戻る。
【００２２】
Ｓ２０４では、制御部１０２はレンズ通信部１０３を制御して、レンズユニット２００からシリアル通信にてレンズ固有の識別符号を受信する。このようにレンズ固有の識別符号を受信するのは、シリアル通信または無線通信の何れの通信手段であっても、光学補正情報を取得するにはレンズ固有の識別符号を必要とするためである。また、識別符号の受信が完了したときに、判定部１０５はレンズ通信部１０３から識別符号の受信完了通知を受信する。判定部１０５は受信完了通知を受信することでシリアル通信が終了したと判定し、制御部１０２に対して制御の終了を通知する。制御部１０２は制御の終了の通知を受けることでシリアル通信を停止する。
【００２３】
Ｓ２０５では、判定部１０５は外部装置３００との間でのネゴシエーション完了を示すネゴシエーション完了通知を無線通信部１０４から受信したか否かを判定する。ネゴシエーション完了通知を受信している場合には無線通信が確立され、外部装置３００との間で通信できる状態であることを意味する。一方、ネゴシエーション完了通知を受信していない場合には無線通信が確立されておらず、外部装置３００との間で通信できない状態であることを意味する。ネゴシエーション完了通知を受信している場合にはＳ２０６に進み、ネゴシエーション完了通知を受信していない場合にはＳ２０７に進む。
【００２４】
Ｓ２０６では、制御部１０２は無線通信部１０４を制御し、外部装置３００から無線通信によりレンズ固有の識別符号に対応した光学補正情報を取得する。具体的には、制御部１０２は外部装置３００に識別符号を送信し、外部装置３００の外部サーバ３０２は受信した識別符号に対応する光学補正情報を外部補正情報部３０１から取得して、取得した光学補正情報を撮像装置１００に送信する。ここでは、外部装置３００との間で既に無線通信が確立されていることから、制御部１０２は無線通信の確立を待つことなく、直ぐに光学補正情報を取得することができる。
Ｓ２０７では、制御部１０２はレンズ通信部１０３を制御し、レンズユニット２００からシリアル通信によりレンズ固有の識別符号に対応した光学補正情報を取得する。ここでは、外部装置３００との間で無線通信が確立されていないことから、外部装置３００との間で無線通信できない状態であっても光学補正情報を取得することができる。
【００２５】
Ｓ２０８では、制御部１０２はユーザによる操作指示に応じて撮像装置１００を制御する。具体的には、ユーザによる撮影指示や再生指示等に応じて撮像部１０７を介して撮影したり画像を再生したりする。
Ｓ２０９では、制御部１０２はユーザにより電源をオフにする指示があったか否かを判定する。電源をオフにする指示があった場合には制御部１０２は電源をオフにして図２のフローチャートの処理を終了し、電源をオフにする指示がなかった場合にはＳ２０１に戻る。
【００２６】
本実施形態によれば、レンズユニット２００が装着されたときに、外部装置３００と通信できる場合には無線通信により外部装置３００から光学補正情報を受信する。したがって、外部装置３００と通信できる場合には無線通信により迅速に光学補正情報を受信することができる。一方、レンズユニット２００が装着されたときに、外部装置３００と通信できない場合にはレンズユニット２００から光学補正情報を受信する。したがって、外部装置３００と通信できない場合であっても迅速に光学補正情報を受信することができる。また、レンズユニット２００が装着される前から外部装置３００との通信を開始することで、レンズユニット２００が装着されるまでに外部装置３００との間で通信を確立させるための処理を行うことができる。そのため、レンズユニット２００が装着されたときに、外部装置３００との通信が確立するのを待機する必要がなく迅速に光学補正情報を受信することができる。したがって、ユーザは撮影タイミングを逃すことなく撮影することができる。
【００２７】
（第２の実施形態）
本実施形態では、ユーザによる撮影指示が検知されることにより、外部装置３００との間でネゴシエーションを開始する。
図３は、第２の実施形態に係る撮像システム２０の構成例を示す図である。なお、第１の実施形態と同様の構成は同一符号を付して、その説明を省略する。
【００２８】
撮像装置１００は、第１の実施形態の構成に加えて、レリーズ部１１０を有する。レリーズ部１１０は検知手段の一例である。レリーズ部１１０はレリーズボタン等の操作部材を介してユーザからの撮影指示を受け付ける。レリーズ部１１０は撮影指示を受け付けると、判定部１０５に対して撮影指示を通知する。なお、レンズユニット２００および外部装置３００の構成は、第１の実施形態と同様である。
【００２９】
次に、本実施形態の撮像装置１００の処理について図４のフローチャートを参照して説明する。なお、図４のフローチャートのうち、図２のフローチャートと同様の処理は、同一のステップ番号を付して適宜、その説明を省略する。本実施形態では、図２のフローチャートにＳ４０１の処理が追加されている。
Ｓ２０１において、判定部１０５はレンズユニット２００が取外されたことを示す着脱信号を受信した場合にはＳ４０１に進む。
【００３０】
Ｓ４０１では、レリーズ部１１０はユーザからの撮影指示を検知したか否かを判定する。レリーズ部１１０はレリーズボタンの押下やリモコンの遠隔操作により撮影指示を検知する。
撮影指示を検知していない場合にはＳ２０３に進み、判定部１０５は着脱検出部１０１からレンズユニット２００が装着されたことを示す着脱信号を受信したか否かを判定する。一方、撮影指示を検知した場合にはＳ２０２に進み、無線通信部１０４は無線通信を確立するために外部装置３００との間でネゴシエーションを開始する。
【００３１】
このように、レンズユニット２００が取外されたとき、Ｓ４０１において撮影指示が検知されたか否かを判定し、撮影指示を検知した場合には新しいレンズユニット２００を装着した後に直ぐに撮影を行う意思があるものと推定する。したがって、レンズユニット２００に対応した光学補正情報を迅速に取得できるように、撮影指示を検知した場合には外部装置３００との間でネゴシエーションを開始する。
一方、撮影指示を検知しない場合には、直ぐに撮影を行う意思はないものと推定し、外部装置３００との間でネゴシエーションを開始しない。したがって、シリアル通信により光学補正情報を取得する。通常、無線通信はシリアル通信に比べて消費電力が大きいので、直ぐに撮影を行う必要がない場合にはシリアル通信で通信することで消費電力の抑制を図ることができる。なお、Ｓ４０１においてレリーズ部１１０がユーザから撮影指示を検知する場合には、ユーザがレンズユニット２００を取外しながらレリーズボタン等で撮影指示をする場合も含まれる。
【００３２】
（第３の実施形態）
本実施形態では、撮像装置１００にレンズユニット２００が近接していない場合には外部装置３００との間でネゴシエーションを開始せず、レンズユニット２００が近接している場合に外部装置３００との間でネゴシエーションを開始する。
図５は、第３の実施形態に係る撮像システム３０の構成例を示す図である。なお、第１の実施形態と同様の構成は同一符号を付して、その説明を省略する。
【００３３】
撮像装置１００は、第１の実施形態の構成に加えて、ＮＦＣリーダ部１２０を有する。ＮＦＣリーダ部１２０は近距離無線通信手段の一例である。ＮＦＣリーダ部１２０は近距離無線通信によってＮＦＣ（Ｎｅａｒ  Ｆｉｅｌｄ  Ｃｏｍｍｕｎｉｃａｔｉｏｎ）タグの情報を読み取る。ＮＦＣリーダ部１２０は少なくともレンズ固有の識別符号をＮＦＣタグから読み出す。また、ＮＦＣリーダ部１２０は識別符号の取得を完了することで、判定部１０５に識別符号と取得完了の通知とを出力する。
レンズユニット２００は、第１の実施形態の構成に加えて、ＮＦＣタグ部２０５を有する。ＮＦＣタグ部２０５は近距離無線通信によってＮＦＣリーダ部１２０との間で通信する。ＮＦＣタグ部２０５は少なくともレンズ固有の識別符号を保持している。
ＮＦＣリーダ部１２０とＮＦＣタグ部２０５とは、撮像装置１００にレンズユニット２００を装着しておらず近接している状態であっても近距離無線通信が可能であり、ＮＦＣリーダ部１２０はＮＦＣタグ部２０５の保持する情報を受信することができる。
【００３４】
次に、本実施形態の撮像装置１００の処理について図６のフローチャートを参照して説明する。なお、図６のフローチャートのうち、図２のフローチャートと同様の処理は、同一ステップ番号を付して適宜、その説明を省略する。本実施形態では、図２のフローチャートにＳ６０１、Ｓ６０２、Ｓ６０３、Ｓ６０４の処理が追加されている。
Ｓ６０１では、ＮＦＣリーダ部１２０はＮＦＣタグ部２０５に対して近距離無線通信を開始する。具体的には、ＮＦＣリーダ部１２０はリクエスト識別子を伴うデータを近距離無線通信で発行する。
【００３５】
Ｓ６０２では、判定部１０５は近距離無線通信の回線の確立が完了したか否かを判定する。ＮＦＣタグ部２０５はリクエスト識別子を伴うデータを受け取ると、レスポンス識別子を伴うデータを近距離無線通信で発行する。ＮＦＣリーダ部１２０はＮＦＣタグ部２０５からレスポンス識別子を伴うデータを受信することで、近距離無線通信の回線の確立が完了する。ＮＦＣリーダ部１２０は近距離無線通信の回線の確立を完了した場合に判定部１０５に回線確立完了の通知を行う。したがって、判定部１０５は回線確立完了の通知を受け取った場合に近距離無線通信の回線の確立が完了したと判定し、回線確立完了の通知を受け取っていない場合に近距離無線通信の回線の確立が完了していないと判定する。なお、レンズユニット２００が撮像装置１００から近距離無線通信の通信範囲内にに存在しない場合には、ＮＦＣリーダ部１２０はレスポンス識別子を伴ったデータを受信できないために近距離無線通信の回線を確立することができない。
近距離無線通信の回線の確立が完了した場合にはＳ２０２に進み、近距離無線通信の回線の確立が完了していない場合にはＳ２０３に進む。
【００３６】
Ｓ２０２では、無線通信部１０４は無線通信を確立するために外部装置３００との間でネゴシエーションを開始し、Ｓ６０３に進む。
Ｓ６０３では、ＮＦＣリーダ部１２０は近距離無線通信によりレンズ固有の識別符号の取得を開始し、Ｓ２０３に進む。
Ｓ２０３において判定部１０５が着脱検出部１０１からレンズユニット２００が装着されたことを示す着脱信号を受信した場合にはＳ６０４に進む。
【００３７】
Ｓ６０４では、判定部１０５はＮＦＣリーダ部１２０によりレンズ固有の識別符号の取得が完了しているか否かを判定する。識別符号の取得が完了していない場合には近距離無線通信による識別符号の取得はできないとして、Ｓ２０４に進み、制御部１０２はレンズ通信部１０３を制御して、レンズユニット２００からシリアル通信にてレンズ固有の識別符号を受信する。一方、識別符号の取得が完了した場合にはＳ２０５に進み、判定部１０５は外部装置３００との間でのネゴシエーション完了を示すネゴシエーション完了通知を無線通信部１０４から受信したか否かを判定する。
【００３８】
このように、レンズユニット２００を交換するときに近距離無線通信の通信範囲内に交換する新たなレンズユニット２００が存在する場合に、外部装置３００との間でネゴシエーションを開始する。
一方、近距離無線通信の通信範囲内に交換する新たなレンズユニット２００が存在しない場合には、外部装置３００との間でネゴシエーションを開始しない。したがって、レンズユニット２００を装着しない場合には外部装置３００との間で無線通信しないために消費電力の抑制を図ることができる。
【００３９】
（第４の実施形態）
本実施形態では、撮像装置１００にレンズユニット２００の識別符号が記憶されている場合に、外部装置３００との間で無線通信による通信を停止する。
本実施形態に係る撮像システムは、第１の実施形態と同様の構成である。ここでは、撮像装置１００の格納部１０６は、交換する前のレンズユニット２００のレンズ固有の識別符号と光学補正情報とを関連付けて保持する。すなわち、格納部１０６は撮像装置１００に一度装着されたレンズユニット２００のレンズ固有の識別符号と光学補正情報とを関連付けて保持する。
【００４０】
次に、本実施形態の撮像装置１００の処理について図７のフローチャートを参照して説明する。なお、図７のフローチャートのうち、図２のフローチャートと同様の処理は、同一ステップ番号を付して適宜、その説明を省略する。本実施形態では、図２のフローチャートにＳ７０１、Ｓ７０２の処理が追加されている。
Ｓ２０４においてレンズ通信部１０３がレンズユニット２００からシリアル通信にてレンズ固有の識別符号を受信するとＳ７０１に進む。
【００４１】
Ｓ７０１では、制御部１０２は取得したレンズ固有の識別符号と格納部１０６で保持している識別符号とが一致するか否かを判定する。一致しない場合にはＳ２０５に進み、無線通信もしくはシリアル通信にてレンズ固有の識別符号に対応する光学補正情報を取得する。一致する場合にはＳ７０２に進む。
Ｓ７０２では、制御部１０２はレンズ固有の識別符号に対応する光学補正情報を、格納部１０６から取得する。また、制御部１０２は無線通信のネゴシエーション中である場合にはネゴシエーションを中断し、Ｓ２０８に進む。
【００４２】
このように、レンズユニット２００に対応する光学補正情報が格納部１０６に保持されている場合に、格納部１０６から光学補正情報を取得することで、迅速に光学補正情報を取得することができる。また、格納部１０６に保持されている光学補正情報を取得できる場合に、無線通信のネゴシエーションを中断することで、消費電力の抑制を図ることができる。
【００４３】
なお、格納部１０６は、予め複数のレンズ固有の識別符号にそれぞれ対応する複数の光学補正情報を保持していてもよい。この場合、Ｓ７０１では、制御部１０２は取得したレンズ固有の識別符号が、格納部１０６に保持している複数のレンズ固有の識別符号のうちの何れかに一致するか否かを判定する。一致する場合には、Ｓ７０２に進み、制御部１０２は取得した識別符号に対応する光学補正情報を、格納部１０６から取得すると共に、無線通信のネゴシエーションを中断する。したがって、同様に迅速に光学補正情報を取得することができると共に、消費電力の抑制を図ることができる。
【００４４】
以上、本発明を種々の実施形態と共に説明したが、本発明はこれらの実施形態にのみ限定されるものではなく、本発明の範囲内で変更等が可能であり、上述した実施形態を適時組み合わせてもよい。
上述した実施形態では、撮像装置１００とレンズユニット２００の間の通信を電気的な接点数の制約からシリアル通信とする場合について説明したが、この場合に限られず、有線通信であればどのような通信であってもよい。
また、上述した実施形態では、Ｓ２０５において外部装置３００との間でのネゴシエーションが完了していた場合には、Ｓ２０６において外部装置３００から無線通信を用いて光学補正情報を取得する場合について説明したが、この場合に限られない。例えば、撮像装置１００が通信速度を測定する測定部を備え、Ｓ２０５において外部装置３００との間でのネゴシエーションが完了していた場合に、測定部が無線通信とシリアル通信とで何れの通信速度が速いかを判定してもよい。無線通信の通信速度が速い場合にはＳ２０６において外部装置３００から無線通信を用いて光学補正情報を取得する。一方、シリアル通信の通信速度が速い場合にはＳ２０７においてシリアル通信を用いて光学補正情報を取得する。また、シリアル通信を用いて光学補正情報を取得しているときに、無線通信の通信速度がシリアル通信よりも速くなった場合には、シリアル通信から無線通信に切替えて光学補正情報を取得してもよい。
【００４５】
また、上述した実施形態では、Ｓ２０６において外部装置３００から無線通信を用いて光学補正情報を継続して取得する場合について説明したが、この場合に限られない。例えば、撮像装置１００が通信速度を測定する測定部を備え、Ｓ２０６において外部装置３００から無線通信を用いて光学補正情報を取得しながら、測定部は無線通信速度が閾値を下回るか否かを判定してもよい。閾値を下回った場合には制御部１０２は無線通信からシリアル通信に切替えて光学補正情報を取得することができる。
【００４６】
また、上述した実施形態では、１つの無線通信を用いて光学補正情報を取得する場合について説明したが、この場合に限られない。例えば、２つ（複数）の無線通信を用いて光学補正情報を取得してもよい。例えば、撮像装置１００が通信速度を測定する測定部を備え、Ｓ２０５において判定部１０５が何れの無線通信ともネゴシエーションが完了していない場合にはＳ２０７に進む。また、Ｓ２０５において何れか一つの無線通信についてネゴシエーションが完了している場合には、測定部はゴシエーションが完了した無線通信とシリアル通信とで何れの通信速度が速いかを判定し、制御部１０２は通信速度が速いほうから光学補正情報を取得する。また、Ｓ２０５において全ての無線通信についてネゴシエーションが完了している場合には、測定部は何れの無線通信が速いかを判定し、制御部１０２は通信速度が速いほうから光学補正情報を取得する。あるいは、Ｓ２０５において全ての無線通信についてネゴシエーションが完了している場合には、測定部は全ての無線通信およびシリアル通信の中で最も通信速度が速い通信を判定し、制御部１０２は通信速度が速いほうから光学補正情報を取得する。
【００４７】
また、上述した実施形態では、Ｓ２０５において外部装置３００との間でのネゴシエーションが完了していた場合には、Ｓ２０６において外部装置３００から無線通信を用いて光学補正情報を取得する場合について説明したが、この場合に限られない。例えば、Ｓ２０６において無線通信とシリアル通信との両方を用いて光学補正情報を取得してもよい。この場合、撮像装置１００は通信速度を測定する測定部を備え、測定部が測定した無線通信とシリアル通信との通信速度の比に応じて、制御部１０２は取得するデータ量を決定する。例えば、無線通信の通信速度とシリアル通信の通信速度との比が９：１の場合には、制御部１０２は無線通信のデータ量とシリアル通信のデータ量との比が９：１になるように光学補正情報を受信する。
【００４８】
また、上述した実施形態では、Ｓ２０５において外部装置３００との間でのネゴシエーションが完了していた場合には、Ｓ２０６において外部装置３００から無線通信を用いて光学補正情報を取得する場合について説明したが、この場合に限られない。例えば、Ｓ２０５において一定のステップまでネゴシエーションが行われていた場合には、Ｓ２０６において外部装置３００から無線通信を用いて光学補正情報を取得してもよい。ただし、ネゴシエーション完了までに回線の状態が変化する可能性があるため、判定部１０５はネゴシエーションが完了したか否かを継続してチェックする。ネゴシエーションが完了しない場合には、制御部１０２はシリアル通信を用いて光学補正情報を取得する。
【００４９】
また、上述した実施形態では、撮像装置１００としてデジタルカメラを前提として説明したが、この場合に限定されず、レンズユニット２００を着脱可能な撮像装置１００であれば適用可能である。すなわち、レンズユニット２００を着脱可能なスマートフォン等に適用可能である。
【００５０】
（その他の実施例）
本発明は、上述の実施形態の１以上の機能を実現するプログラムを、ネットワーク又は記録媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
１００：撮像装置  １０１：着脱検出部  １０２：制御部  １０３：レンズ通信部  １０４：無線通信部  １０５：判定部  １０６：格納部  １０７：撮像部  １０８：現像処理部  １０９：画像保持部  ２００：レンズユニット  ２０１：着脱信号出力部  ２０２：レンズ補正情報部  ２０３：通信部  ２０４：レンズ部  ３００：外部装置  ３０１：外部補正情報部  ３０２：外部サーバ  ３０３：基地局  ３０４：通信ネットワーク
【図１】
2018064236.tif 000003
【図２】
2018064236.tif 000004
【図３】
2018064236.tif 000005
【図４】
2018064236.tif 000006
【図５】
2018064236.tif 000007
【図６】
2018064236.tif 000008
【図７】
2018064236.tif 000009